(57)【要約】【課題】操作環に付された表示の視認が困難な状況であっても、操作環を迅速かつ正確に操作することができるレンズ鏡筒を提供する。【解決手段】レンズ鏡筒本体（５０）の外周面に回転可能に設けられ、レンズ鏡筒本体（５０）の光学的状態を調節する調節用操作環（１０，２０）を有するレンズ鏡筒（２）において、レンズ鏡筒本体（５０）の外周面の調節用操作環（１０，２０）の近傍に、調節用操作環（１０，２０）の回転方向と前記光学的状態との関係を明らかにする第１、第２の三次元形状部（１５，１７， ２５，２７）が、設けられている。【選択図】図１
2011090023.tif 000002
【特許請求の範囲】
【請求項１】
レンズ鏡筒本体の外周面に回転可能に設けられ、前記レンズ鏡筒本体の光学的状態を調節する調節用操作環を有するレンズ鏡筒において、
前記レンズ鏡筒本体の外周面の前記調節用操作環の近傍に、前記調節用操作環の回転方向と前記光学的状態との関係を明らかにする第１、第２の三次元形状部が、設けられていることを特徴とするレンズ鏡筒。
【請求項２】
現在の光学状態を示す指標が、前記第１、第２の三次元形状部の間に設けられていることを特徴とする請求項１記載のレンズ鏡筒。
【請求項３】
前記調節用操作環の外周面に、前記光学的状態を表示するための複数の表示が周方向に所定間隔をおいて設けられ、
前記複数の表示のうちの両端に位置する表示の近傍に、前記光学的状態を示す第３、第４の三次元形状部がそれぞれ設けられていることを特徴とする請求項１又は２記載のレンズ鏡筒。
【請求項４】
前記調節用操作環がピント位置を調節するためのものであり、前記第１の三次元形状部が前記調節用操作環の無限側に位置する凹部又は凸部であり、前記第２の三次元形状部が前記調節用操作環の至近側に位置する凹部又は凸部であることを特徴とする請求項１〜３のいずれか１項記載のレンズ鏡筒。
【請求項５】
前記調節用操作環はピント位置を調節するフォーカス操作リングであり、前記第３の三次元形状部が前記複数の表示のうちの無限端を示す表示の近傍に位置する凹部又は凸部であり、前記第４の三次元形状部が前記複数の表示のうちの至近端を示す表示の近傍に位置する凹部又は凸部であることを特徴とする請求項３記載のレンズ鏡筒。
【請求項６】
前記調節用操作環が焦点距離を調節するためのものであり、前記第１の三次元形状部が前記調節用操作環のワイド側に位置する２つの凸部であり、前記第２の三次元形状部が前記調節用操作環のテレ側に位置する２つの凸部であり、前記調節用操作環のワイド側に位置する２つの凸部の間隔は前記テレ側に位置する２つの凸部の間隔より広いことを特徴とする請求項１〜３のいずれか１項記載のレンズ鏡筒。
【請求項７】
前記調節用操作環は焦点距離を調節するズーム操作リングであり、前記第３の三次元形状部が前記複数の表示のうちのワイド端を示す表示の近傍に位置する２つの凸部であり、前記第４の三次元形状部が前記複数の表示のうちのテレ端を示す表示の近傍に位置する２つの凸部であり、前記ワイド端を示す表示の近傍に位置する２つの凸部の間隔は前記テレ端を示す表示の近傍に位置する２つの凸部の間隔より広いことを特徴とする請求項３記載のレンズ鏡筒。
【発明の詳細な説明】
【技術分野】
【０００１】
この発明はレンズ鏡筒に関する。
【背景技術】
【０００２】
従来、操作環の外周面に円周方向へ配列された複数の数値で構成される表示を付し、指標によって指示された数値により、焦点距離が表わされるようにしたレンズ鏡筒が知られている（下記特許公報参照）。
【先行技術文献】
【特許文献】
【０００３】
【特許文献１】特開平９−２８１３７６号公報
【発明の概要】
【発明が解決しようとする課題】
【０００４】
しかし、レンズによっては数値の配列順序が逆になっているものもあり、配列順序の異なる複数のレンズを使用している場合にはファインダを覗きながらの撮影、暗い場所での撮影、とっさの撮影等、操作環に付された表示の視認が困難な状況下の撮影では、操作環を迅速かつ正確な方向に操作することは困難であった。
【０００５】
この発明はこのような事情に鑑みてなされたもので、操作環に付された表示の視認が困難な状況であっても、操作環を迅速かつ正確な方向に操作することができるレンズ鏡筒を提供することである。
【課題を解決するための手段】
【０００６】
上記課題を解決するため請求項１記載の発明は、レンズ鏡筒本体の外周面に回転可能に設けられ、前記レンズ鏡筒本体の光学的状態を調節する調節用操作環を有するレンズ鏡筒において、前記レンズ鏡筒本体の外周面の前記調節用操作環の近傍に、前記調節用操作環の回転方向と前記光学的状態との関係を明らかにする第１、第２の三次元形状部が、設けられていることを特徴とする。
【０００７】
請求項２記載の発明は、請求項１記載のレンズ鏡筒において、現在の光学状態を示す指標が、前記第１、第２の三次元形状部の間に設けられていることを特徴とする。
【０００８】
請求項３記載の発明は、請求項１又は２記載のレンズ鏡筒において、前記調節用操作環の外周面に、前記光学的状態を表示するための複数の表示が周方向に所定間隔をおいて設けられ、前記複数の表示のうちの両端に位置する表示の近傍に、前記光学的状態を示す第３、第４の三次元形状部がそれぞれ設けられていることを特徴とする。
【０００９】
請求項４記載の発明は、請求項１〜３のいずれか１項記載のレンズ鏡筒において、前記調節用操作環がピント位置を調節するためのものであり、前記第１の三次元形状部が前記調節用操作環の無限側に位置する凹部又は凸部であり、前記第２の三次元形状部が前記調節用操作環の至近側に位置する凹部又は凸部であることを特徴とする。
【００１０】
請求項５記載の発明は、請求項３記載のレンズ鏡筒において、前記調節用操作環はピント位置を調節するフォーカス操作リングであり、前記第３の三次元形状部が前記複数の表示のうちの無限端を示す表示の近傍に位置する凹部又は凸部であり、前記第４の三次元形状部が前記複数の表示のうちの至近端を示す表示の近傍に位置する凹部又は凸部であることを特徴とする。
【００１１】
請求項６記載の発明は、請求項１〜３のいずれか１項記載のレンズ鏡筒において、前記調節用操作環が焦点距離を調節するためのものであり、前記第１の三次元形状部が前記調節用操作環のワイド側に位置する２つの凸部であり、前記第２の三次元形状部が前記調節用操作環のテレ側に位置する２つの凸部であり、前記調節用操作環のワイド側に位置する２つの凸部の間隔は前記テレ側に位置する２つの凸部の間隔より広いことを特徴とする。
【００１２】
請求項７記載の発明は、請求項３記載のレンズ鏡筒において、前記調節用操作環は焦点距離を調節するズーム操作リングであり、前記第３の三次元形状部が前記複数の表示のうちのワイド端を示す表示の近傍に位置する２つの凸部であり、前記第４の三次元形状部が前記複数の表示のうちのテレ端を示す表示の近傍に位置する２つの凸部であり、前記ワイド端を示す表示の近傍に位置する２つの凸部の間隔は前記テレ端を示す表示の近傍に位置する２つの凸部の間隔より広いことを特徴とする。
【発明の効果】
【００１３】
この発明によれば操作環に付された表示の視認が困難な状況であっても、操作環を迅速かつ正確な方向に操作することができる。
【図面の簡単な説明】
【００１４】
【図１】図１はこの発明の第１実施形態に係るレンズ鏡筒をカメラに装着した状態の平面図である。
【図２】図２はこの発明の第１実施形態の変形例に係るレンズ鏡筒をカメラに装着した状態の平面図である。
【図３】図３はこの発明の第２実施形態に係るレンズ鏡筒をカメラに装着した状態の平面図である。
【発明を実施するための形態】
【００１５】
以下、この発明の実施の形態を図面に基づいて説明する。
【００１６】
図１はこの発明の第１実施形態に係るレンズ鏡筒をカメラに装着した状態の平面図である。
【００１７】
レンズ鏡筒２は、レンズ鏡筒本体５０と、レンズ鏡筒本体５０に対する回転に応じてフォーカス（光学的状態）を調整するフォーカス操作リング（調節用操作環）１０と、レンズ鏡筒本体５０に対する回転に応じてズーム（光学的状態）を調整するズーム操作リング（調節用操作環）２０とを備える。フォーカス操作リング１０とズーム操作リング２０とはレンズ鏡筒本体５０の外周面に回転可能に設けられている。
【００１８】
レンズ鏡筒本体５０の後端がカメラ１に装着される。
【００１９】
レンズ鏡筒本体５０の外周面のフォーカス操作リング１０の近傍に、フォーカス操作リング１０の回転方向とフォーカスの状態（光学的状態）との関係を明らかにする凹部（第１の三次元形状部）１５と凸部（第２の三次元形状部）１７とが設けられている。凹部１５と凸部１７との間にフォーカス指標１４が印刷等により付されている。フォーカス指標１４はレンズ鏡筒本体５０の真上位置に設けられている。フォーカス指標１４と凹部１５と凸部１７とは周方向へ並ぶように配置されているが、フォーカス指標１４と凹部１５との間隔はフォーカス指標１４と凸部１７との間隔より広い。
【００２０】
フォーカス操作リング１０の外周面には、現在のフォーカスの状態を表示するための文字や記号から構成される複数の距離目盛(表示)１１〜１３が周方向に沿うように印刷等により付されている。図１ではレンズ鏡筒本体５０に付されたフォーカス指標１４によって指示される距離目盛１２が現在の撮影距離（現在のフォーカスの状態）を示している。また、３つの距離目盛１１〜１３のうちの両端に位置する距離目盛の一方の距離目盛１１（無限端を示す表示）の近傍に凹部（第３の三次元形状部）１６が形成され、他方の距離目盛１３（至近端を示す表示）の近傍に凸部（第４の三次元形状部）１８が形成されている。
【００２１】
また、手動によるフォーカス操作リング１０の回転操作の際の滑り止めのために、フォーカス操作リング１０の外周面にはローレット１０ｋが形成されている。
【００２２】
レンズ鏡筒本体５０の外周面のズーム操作リング２０の近傍に、ズーム操作リング２０の回転方向とズームの状態（光学的状態）との関係を明らかにする２つの凸部（第１の三次元形状部）２５と２つの凸部（第２の三次元形状部）２７とが設けられている。２つの凸部２５と２つの凸部２７との間にズーム指標２４が形成されている。ズーム指標２４はレンズ鏡筒本体５０の真上位置に設けられている。２つの凸部２５と２つの凸部２７とズーム指標２４とは周方向に並ぶように配置されている。２つの凸部２５はワイド側に位置し、２つの凸部２７はテレ側に位置する。ワイド側に位置する２つの凸部２５の間隔はテレ側に位置する２つ凸部２７の間隔より広い。
【００２３】
ズーム操作リング２０の外周面には現在のズーム状態を表示するための文字から構成される複数のズーム目盛(表示)２１〜２３が付されている。レンズ鏡筒本体５０に付されたズーム指標２４によって指示されるズーム目盛２２が現在の焦点距離（現在のズームの状態）を示している。また、３つのズーム目盛２１〜２３のうちの両端に位置するズーム目盛２１，２３の一方のズーム目盛２１（ワイド端を示す表示）の近傍に２つの凸部（第３の三次元形状部）２６が形成され、他方のズーム目盛２３（テレ端を示す表示）の近傍に２つの凸部（第４の三次元形状部）２８が形成されている。ワイド端を示すズーム目盛２１の近傍に形成された２つの凸部２６の間隔はテレ端を示すズーム目盛２３の近傍に形成された２つの凸部２８の間隔より広い。
【００２４】
また、手動によるズーム操作リング２０の回転操作の際の滑り止めのために、ズーム操作リング２０の外周面にはローレット２０ｋが形成されている。
【００２５】
次に、フォーカス操作リング１０、ズーム操作リング２０の操作方法を説明する。
【００２６】
レンズ鏡筒２をカメラ１に取り付けた状態においては、一般に右手でカメラ１をホールドし、左手でレンズ鏡筒２を支え、左手の指でフォーカス操作リング１０、ズーム操作リング２０の操作を行なう。
【００２７】
まずピント合わせの操作を説明する。撮影者がカメラ１のファインダ（図示せず）を覗いている状態で、例えばピントを合わせたい被写体が５ｍより遠い位置にあるとき、撮影者は左手の指で凹部１５を触れば触感で無限側の回転方向を知ることができる。したがって、フォーカス操作リング１０を撮影者から見て時計回りに回転させてピント位置を５ｍから無限側に切り換え、フォーカス指標１４が指示する距離目盛１１〜１３を目視することなく迅速かつ正確にピント合わせをすることができる。これに対し、ピントを合わせたい被写体が５ｍより近い位置にあるとき、撮影者は左手の指で凸部１７を触れば至近側の回転方向を知ることができる。したがって、フォーカス操作リング１０を撮影者から見て反時計回りに回転させてピント位置を５ｍから至近側に切り換え、フォーカス指標１４が指示する距離目盛１１〜１３を目視することなく迅速かつ正確にピント合わせをすることができる。
【００２８】
なお、距離目盛１１〜１３がないレンズ鏡筒２の場合であっても、凹部１５，１６、凸部１７，１８があれば、撮影者がカメラ１のファインダを覗いている状態で無限端側、至近端側の回転方向がわかるので、迅速かつ正確にピント合わせができる。
【００２９】
更に、距離目盛１１〜１３、凹部１６、凸部１８がないレンズ鏡筒２の場合であっても、凹部１５、凸部１７さえあれば、撮影者がカメラ１のファインダを覗いている状態で無限端側、至近端側の回転方向がわかるので、迅速かつ正確にピント合わせができる。
【００３０】
次に、ズーム操作を説明する。撮影者がカメラ１のファインダ（図示せず）を覗いている状態で、例えばより広い範囲を画面に納めたいとき、撮影者は左手の指でワイド側に位置する２つの凸部２５を触ればワイド側の回転方向を知ることができる。したがって、ズーム操作リング２０を撮影者から見て時計回りに回転させて焦点距離をワイド側に切り換え、ズーム指標２４が指示するズーム目盛２１〜２３を目視することなく迅速かつ正確に焦点距離を合わせることができる。これに対し、より狭い範囲に画面を絞りたいとき、撮影者は左手の指でテレ側に位置する２つの凸部２７を触ればテレ側の回転方向を知ることができる。したがって、ズーム操作リング２０を撮影者から見て反時計回りに回転させて焦点距離をテレ側に切り換え、ズーム指標２４が指示するズーム目盛２１〜２３を目視することなく迅速かつ正確に焦点距離を合わせることができる。
【００３１】
なお、ズーム目盛２１〜２３がないレンズ鏡筒２の場合であっても、ワイド側に位置する２つの凸部２５，２６、テレ側に位置する２つの凸部２７，２８があれば、撮影者がカメラ１のファインダを覗いている状態でワイド端側、テレ端側の回転方向がわかるので、迅速かつ正確に焦点距離を合わせることができる。
【００３２】
更に、ズーム目盛２１〜２３、ワイド側に位置する２つの凸部２６、テレ側に位置する２つの凸部２８がないレンズ鏡筒２の場合であっても、ワイド側に位置する２つの凸部２５、テレ側に位置する２つの凸部２７さえあれば、撮影者がカメラ１のファインダを覗いている状態でワイド端側、テレ端側がわかるので、迅速かつ正確に焦点距離を合わせることができる。
【００３３】
この実施形態によれば、撮影者はファインダを覗きながら、フォーカス操作リング１０やズーム操作リング２０の回転方向や現在の光学的状態がわかるので、目盛１１〜１３,２１〜２３の視認が困難な状況下であっても、フォーカス操作リング１０やズーム操作リング２０を迅速かつ正確に操作することができる。
【００３４】
なお、上記実施形態の変形例として、凹部１５，１６に代えて凸部（凸部１７，１８と異なる形状の凸部）を設けたり、凸部１７，１８，２５，２６，２７，２８に代えて凹部を設けたりしてもよい。また、指標１４，２４を凸部や凹部としてもよい。また、目盛１１〜１３、２１〜２３を凸部（突起等）や凹部（刻印等）としてもよい。
【００３５】
図２はこの発明の第１実施形態の変形例に係るレンズ鏡筒をカメラに装着した状態の平面図である。この変形例のレンズ鏡筒と第１実施形態のレンズ鏡筒との基本構造は同じである。
【００３６】
しかし、この変形例は、フォーカス操作リング１１０の無限側と至近側の位置関係、ズーム操作リング１２０のワイド側とテレ側との位置関係がそれぞれ第１実施形態と逆である点、で第１実施形態と相違する。
【００３７】
この変形例によれば、第１実施形態と同様の効果を奏する。
【００３８】
図３はこの発明の第２実施形態に係るレンズ鏡筒をカメラに装着した状態の平面図であり、第１実施形態と共通する部分には同一符号を付してその説明を省略する。
【００３９】
この実施形態は、レンズ鏡筒２０２が、被写体までの距離を示す距離目盛２１２を視認できる表示窓２６０を備えている点で、第１実施形態と相違する。
【００４０】
レンズ鏡筒２０２は、レンズ鏡筒本体２５０と、フォーカスを調整するフォーカス操作リング（調節用操作環）２１０と、アイリス（絞り値）を調整するアイリス操作リング２２０とを備える。フォーカス操作リング２１０とアイリス操作リング２２０とはレンズ鏡筒本体２５０の外周面に回転可能に設けられている。
【００４１】
レンズ鏡筒本体２５０の内側に、フォーカス操作リング２１０と一体に回転する目盛環２４０が組み込まれている。フォーカス操作リング２１０が回転すると、目盛環２４０はフォーカス操作リング２１０と一体に回転する。目盛環２４０の外周面には距離目盛２１２等が印刷されている。
【００４２】
レンズ鏡筒本体２５０には、目盛環２４０を撮影者が視認できるように表示窓２６０が形成されている。表示窓２６０には透明部材からなるカバーが嵌め込まれている。表示窓２６０はレンズ鏡筒本体２５０の真上位置にあり、撮影者は、表示窓２６０を介して目盛（表示）を容易に視認することができる。なお、凹部（第１の三次元形状部）２１５、凸部（第２の三次元形状部）２１７及びフォーカス指標２１４の形状はそれぞれ第１実施形態の凹部１５、凸部１７及びフォーカス指標１４と同じである。
【００４３】
レンズ鏡筒本体２５０の外周面のアイリス操作リング２２０の近傍に、アイリス操作リング２２０の回転方向とアイリスの状態との関係を明らかにする凸部（第１の三次元形状部）２２５と凸部（第２の三次元形状部）２２７とが周方向に沿って設けられている。凸部２２５は絞り値が大きい側に位置し、凸部２２７は絞り値が小さい側に位置する。凸部２２５の直径は凸部２２７の直径より小さい。凸部２２５と凸部２２７との間にアイリス指標２２４が形成されている。アイリス指標２２４はレンズ鏡筒本体２５０の真上位置に設けられている。凸部２２５と凸部２２７とアイリス指標２２４とは周方向に並ぶように配置されている。
【００４４】
アイリス操作リング２２０には、アイリスの状態を表示するための数字から構成される複数の目盛(表示)２３１〜２３７が付されている。目盛２３１〜２３７に付された数字は、それぞれ２２、１６、１１、８、５.６、４及び２.８である。レンズ鏡筒本体２５０に付されたアイリス指標２２４によって指示された目盛が現在のアイリスの状態（絞り値）を示す。また、複数の目盛２３１〜２３７の両端に位置する目盛２３１，２３７の一方の目盛２３１の近傍に凸部（第３の三次元形状部）２２６が形成され、他方の目盛２３７の近傍に凸部（第４の三次元形状部）２２８が形成されている。凸部２２６の直径は凸部２２８の直径より小さい。
【００４５】
フォーカス操作リング２１０、アイリス操作リング２２０の操作方法は第１実施形態と同様であるので、その説明を省略する。
【００４６】
この実施形態によれば、撮影者はファインダを覗きながら、フォーカス操作リング２１０やアイリス操作リング２２０の回転方向や現在の光学的状態がわかるので、目盛２３１〜２３７の視認が困難な状況であっても、フォーカス操作リング２１０やアイリス操作リング２２０による操作状況を迅速かつ正確に把握することができる。
【符号の説明】
【００４７】
２，１０２，２０２：レンズ鏡筒、１０，１１０，２１０：フォーカス操作リング（調節用操作環）、１１，１２，１３，２１，２２，２３，１１１，１１２，１１３，１２１，１２２，１２３，２１２，２３１，２３２，２３３，２３４，２３５，２３６，２３７：目盛（表示）、１４，２４，１１４，１２４，２１４，２２４：指標、１５，１１５，２１５：凹部（第１の三次元形状部）、２５，１２５，２２５：凸部（第１の三次元形状部）、１７，２７，１１７，１２７，２１７，２２７：凸部（第２の三次元形状部）、１６，１１６：凹部（第３の三次元形状部）、２６，１２６，２２６：凸部（第３の三次元形状部）、１８，２８，１１８，１２８，２２８：凸部（第４の三次元形状部）、２０，１２０：ズーム操作リング（調節用操作環）、５０，１５０，２５０：レンズ鏡筒本体、２２０：アイリス操作リング（調節用操作環）。
【図１】
2011090023.tif 000003
【図２】
2011090023.tif 000004
【図３】
2011090023.tif 000005